(57)【要約】【課題】少ない部材で機器を支持することができ、而も、配線を保持することができ、内部の前後方向への配線の引き回しが容易にできる機器収納用ラックを提供する。【解決手段】機器収納用ラック１の左右前側に垂設したマウントアングル２に機器４の前面左右両端のマウント部４ａを螺着固定し、機器４の後ろ側は機器収納用ラック１の左右後側に垂設したマウントレール３間に固定したレール５によって支持する。レール５は垂直板部に配線ホルダ６が設けられ、機器４の配線を保持することができ、レール５に形成した配線孔５ｇに配線を挿通させることにより機器収納用ラック１内の前後方向への配線の引き回しが容易にできる。【選択図】        図１
2004281455.tif 000002
【特許請求の範囲】
【請求項１】
左右前側にマウントアングルを垂設し、左右後側にマウントレールを垂設した機器収納用ラックにおいて、前記マウントアングル間又は前記マウントレール間の何れか一方に機器を支持するためのレールを固定手段により固定したことを特徴とする機器収納用ラック。
【請求項２】
前記レールに配線を保持するための複数の配線ホルダを取り付け可能にしたことを特徴とする請求項１に記載の機器収納用ラック。
【請求項３】
前記レールに配線を保持するための結束バンドを取り付け可能に多数のスリット孔を形成したことを特徴とする請求項１又は請求項２に記載の機器収納用ラック。
【請求項４】
前記レールに配線が挿通するための配線孔を形成したことを特徴とする請求項１乃至請求項３の何れかに記載の機器収納用ラック。
【発明の詳細な説明】
【０００１】
【発明の属する技術分野】
本発明は、機器収納用ラックに設けられ、機器を載置させて支持するためのレールに関する。
【０００２】
【従来の技術】
従来、機器を機器収納用ラックの左右前側に垂設したマウントアングルにマウントして取り付ける際に、機器が重量物である場合は機器の下面を支持するためにレールが用いられる。このレールは、断面略Ｌ字状に形成され、機器収納用ラックの左右前側に垂設されたマウントアングルと左右後側に垂設されたマウントレールの間に水平に取り付けられ、左右２本のレールで機器の左右端部の下面を支持するようになっていた（例えば、特許文献１参照。）。
【０００３】
【特許文献１】
実公平８−３０３２号公報（第３頁、第１図、第２図）
【０００４】
【発明が解決しようとする課題】
このように、従来の機器収納用ラックは２本のレールを使用しなければならないので部材が多いし、また、レールには機器の配線を保持することができないので、配線を保持するためには専用の部品を取り付けなければならなかったし、機器の前面側の配線を背面側に送る場合や、逆に背面側の配線を前面側に送る場合は、機器の左右の隙間等に配線を通さなければならないため、作業性が悪かった。
【０００５】
そこで上記問題点に鑑み、本発明の目的は、少ない部材で機器を支持することができ、而も、配線を保持することができ、内部の前後方向への配線の引き回しが容易にできる機器収納用ラックを提供することである。
【０００６】
【課題を解決するための手段】
上記目的を達成するために、請求項１に記載の発明によれば、左右前側にマウントアングルを垂設し、左右後側にマウントレールを垂設した機器収納用ラックにおいて、マウントアングル間又はマウントレール間の何れか一方に機器を支持するためのレールを固定手段により固定したことを特徴とする。
【０００７】
請求項２に記載の発明によれば、請求項１に記載の機器収納用ラックにおいて、レールに配線を保持するための複数の配線ホルダを取り付け可能にしたことを特徴とする。
【０００８】
請求項３に記載の発明によれば、請求項１又は請求項２に記載の機器収納用ラックにおいて、レールに配線を保持するための結束バンドを取り付け可能に多数のスリット孔を形成したことを特徴とする。
【０００９】
請求項４に記載の発明によれば、請求項１乃至請求項３の何れかに記載の機器収納用ラックにおいて、レールに配線が挿通するための配線孔を形成したことを特徴とする。
【００１０】
【発明の実施の形態】
請求項１に記載の発明によれば、左右前側にマウントアングルを垂設し、左右後側にマウントレールを垂設した機器収納用ラックにおいて、マウントアングル間又はマウントレール間の何れか一方に機器を支持するためのレールを固定手段により固定したことにより、少ない部品で機器を支持することができる。
【００１１】
請求項２に記載の発明によれば、請求項１に記載の機器収納用ラックにおいて、レールに配線を保持するための複数の配線ホルダを取り付け可能にしたことにより、機器の配線を保持して整理することができる。
【００１２】
請求項３に記載の発明によれば、請求項１又は請求項２に記載の機器収納用ラックにおいて、レールに配線を保持するための結束バンドを取り付け可能に多数のスリット孔を形成したことにより、機器の配線を保持して整理することができる。
【００１３】
請求項４に記載の発明によれば、請求項１乃至請求項３の何れかに記載の機器収納用ラックにおいて、レールに配線が挿通するための配線孔を形成したことにより、機器の前面側の配線を背面側に案内したり、機器の背面側の配線を前面側に案内することができ、機器収納用ラック内の前後方向への配線の引き回しが容易にできる。
【００１４】
【実施例】
本発明に係る機器収納用ラックの実施例を図１〜図４の添付図面に基づいて説明する。
【００１５】
機器収納用ラック１は、内部の左右前側にマウントアングル２が垂設され、左右後側にマウントレール３が垂設されている。マウントアングル２とマウントレール３は高さ方向に機器４や棚等を取り付けるための多数のネジ孔（図示せず）が穿設されている。尚、図１において下側が機器収納用ラック１の前面、上側が背面である。
【００１６】
機器４は前面左右両端にマウント部４ａが設けられ、マウント部４ａを機器収納用ラック１の前面側からマウントアングル２に螺着して固定される。そして、この機器４の後ろ側の下面を支持するようにマウントレール３間にレール５を固定する。
【００１７】
レール５は機器４を載置する水平板部５ａと、水平板部５ａの長手方向の外側に垂設された垂直板部５ｂと、マウントレール３に固定するために長手方向両端に形成された取付板部５ｃとで構成されている。
【００１８】
取付板部５ｃには切欠５ｄが形成され、予め左右のマウントレール３に緩く締め付けた固定ネジ（図示せず）の軸部に上方から切欠５ｄを嵌め込み、その後、固定ネジを完全に締め付けることによりレール５を固定している。
【００１９】
尚、レール５の前後位置を機器４の奥行き寸法に合わせるにはマウントレール３の固定位置を前後に移動させることにより行う。
【００２０】
水平板部５ａは多数のスリット孔５ｅが穿設されている。機器４には多数の配線がされるものがあるが、このスリット孔５ｅに結束バンド（図示せず）を挿通させて設けることにより、機器４の配線を保持することができる。
【００２１】
垂直板部５ｂは複数の取付孔５ｆが穿設され、取付孔５ｆに配線ホルダ６がネジ（図示せず）で螺着固定されている。配線ホルダ６は機器４の配線を保持することができる。また、レール５の長手方向の略中央に水平板部５ａと垂直板部５ｂに連続した配線孔５ｇが形成され、機器４の前面側の配線を背面側に案内したり、機器４の背面側の配線を前面側に案内することができ、機器収納用ラック１内の前後方向への配線の引き回しが容易にできる。
【００２２】
尚、本実施例において、レール５をマウントレール３間に設けたが、図５に示すようにマウントアングル２間に設けることもできる。この場合、配線ホルダ６は機器収納用ラック１の前面側になるようにレール５を固定する。
【００２３】
また、本実施例においてマウントレールにレールを固定する固定手段として固定ネジを用いたが、例えば、レールの取付板部に引掛片を形成し、マウントレールに引掛片が係止する引掛受け部を形成して、レールをマウントレールに係脱可能に固定する等、固定手段について限定はないし、また、配線ホルダのレールへの取り付け方法についても限定はないし、その他の構造や形状についても本発明の趣旨を逸脱しない範囲で適宜変更可能である。
【００２４】
【発明の効果】
以上説明したように請求項１に記載の発明によれば、左右前側にマウントアングルを垂設し、左右後側にマウントレールを垂設した機器収納用ラックにおいて、マウントアングル間又はマウントレール間の何れか一方に機器を支持するためのレールを固定手段により固定したことにより、少ない部品で機器を支持することができるという効果がある。
【００２５】
請求項２に記載の発明によれば、請求項１に記載の機器収納用ラックにおいて、レールに配線を保持するための複数の配線ホルダを取り付け可能にしたことにより、機器の配線を保持して整理することができるという効果がある。
【００２６】
請求項３に記載の発明によれば、請求項１又は請求項２に記載の機器収納用ラックにおいて、レールに配線を保持するための結束バンドを取り付け可能に多数のスリット孔を形成したことにより、機器の配線を保持して整理することができるという効果がある。
【００２７】
請求項４に記載の発明によれば、請求項１乃至請求項３の何れかに記載の機器収納用ラックにおいて、レールに配線が挿通するための配線孔を形成したことにより、機器の前面側の配線を背面側に案内したり、機器の背面側の配線を前面側に案内することができ、機器収納用ラック内の前後方向への配線の引き回しが容易にできるという効果がある。
【図面の簡単な説明】
【図１】本発明に係る機器収納用ラックの内部平面図である。
【図２】本発明に係るレールを前面側から見た状態の斜視図である。
【図３】本発明に係るレールを背面側から見た状態の斜視図である。
【図４】本発明に係るレールに配線ホルダを取り付けた状態を示す斜視図である。
【図５】本発明に係る機器収納用ラックの変形実施例である。
【符号の説明】
１…機器収納用ラック
２…マウントアングル
３…マウントレール
４…機器
５…レール
５ａ…水平板部
５ｂ…垂直板部
５ｃ…取付板部
５ｄ…切欠
５ｅ…スリット孔
５ｆ…取付孔
５ｇ…配線孔
６…配線ホルダ
【図１】
2004281455.tif 000003
【図２】
2004281455.tif 000004
【図３】
2004281455.tif 000005
【図４】
2004281455.tif 000006
【図５】
2004281455.tif 000007